(57)【要約】【課題】枝木の伐採時等に手元が狂っても、利き腕ではない方の手の甲部を保護することのできる保護手袋を提供する。【解決手段】枝木を伐採する際などに着用して利き腕ではない方の手を保護するための保護手袋であって、利き腕ではない方の手に着用する手袋本体１甲部２の外側面２ａまたは内側面２ｂに、衝撃吸収材３を、その上から上布４で覆い、その上布４を手袋本体１にホットメルト６で接着し、または糸７で縫付けることによって設けたものである。【選択図】      図１
2004197240.tif 000002
【特許請求の範囲】
【請求項１】
枝木を伐採する際などに着用して利き腕ではない方の手を保護するための保護手袋であって、利き腕ではない方の手に着用する手袋本体（１）甲部（２）の外側面（２ａ）または内側面（２ｂ）に，衝撃吸収材（３）を設けてなる保護手袋。
【請求項２】
枝木を伐採する際などに着用して利き腕ではない方の手を保護するための保護手袋であって、利き腕ではない方の手に着用する手袋本体（１）甲部（２）の外側面（２ａ）または内側面（２ｂ）に，衝撃吸収材（３）を，その上から上布（４）で覆い，その上布を衝撃吸収材の外周に沿って、手袋本体にホットメルト（６）で接着し，または糸（７）で縫付けることによって設けてなる保護手袋。
【請求項３】
枝木を伐採する際などに着用して利き腕ではない方の手を保護するための保護手袋であって、利き腕ではない方の手に着用する手袋本体（１）甲部（２）の外側面（２ａ）または内側面（２ｂ）に，衝撃吸収材（３）を，その上下から上布（４）と下布（５）で挟み，該上布と下布をホットメルト（６）で接着し、さらに，前記下布を手袋本体にホットメルトで接着し，または前記上布と下布を手袋本体に糸（７）で縫付けることによって設けてなる保護手袋。
【請求項４】
手袋本体（１）を、アラミド繊維等の強力繊維をメリヤス手袋状に編んで形成してなる請求項１乃至３のいずれかに記載の保護手袋。
【請求項５】
手袋本体（１）を，アラミド繊維等の強力繊維で織った織布を複数の手型パーツ（８）に裁断し，該複数の手型パーツを縫い合わせて形成し、
かつ，衝撃吸収材（３）を，手袋本体の甲部（２）となる手型パーツに，該手型パーツを縫い合わせる前に設けてなる請求項１乃至３のいずれかに記載の保護手袋。
【請求項６】
衝撃吸収材（３）は単層若しくはアラミド織布との積層、更には衝撃吸収材の間に鎖とか、鋼線等の屈曲を阻害しない網状の金属材を切断防止目的に挟み込んだ構成としてたことを特徴とする請求項１〜５のいずれかに記載の保護手袋。
【発明の詳細な説明】
【０００１】
【発明の属する技術分野】本発明は、例えば、枝木を伐採する際に、利き腕ではない方の手を保護するために着用する保護手袋に関するものである。
【０００２】
【従来の技術】例えば、枝木を伐採する場合、右利きの者であれば、左手で木の枝を持ち、右手でナタを持って振り下ろして当該枝木を切り落とす。逆に、左利きの者であれば、その反対に、右手で枝木を持ち、左でナタを振る。
【０００３】
【発明が解決しようとする課題】従来、こうした枝木の伐採時に、手元が狂って、右利きの者であれば左手甲部（特に指先）を切創し、左利きの者は右手甲部を切創するといった事故が多発している。
【０００４】
本発明は、こうした問題に鑑み創案されたもので、主として、枝木の伐採時に手元が狂っても、利き腕ではない方の手の甲部を保護することのできる保護手袋を提供することを課題とする。
【０００５】
【課題を解決するための手段】図１乃至図８を参照して説明する。第一の発明は、枝木を伐採する際などに着用して利き腕ではない方の手を保護するための保護手袋であって、利き腕ではない方の手に着用する手袋本体１甲部２の外側面２ａまたは内側面２ｂに、衝撃吸収材３を設けてなるものである。
【０００６】
第二の発明は、枝木を伐採する際などに着用して利き腕ではない方の手を保護するための保護手袋であって、利き腕ではない方の手に着用する手袋本体１甲部２の外側面２ａまたは内側面２ｂに、衝撃吸収材３を、その上から上布４で覆い、その上布４を衝撃吸収材３の外周に沿って、手袋本体１にホットメルト６で接着し、または糸７で縫付けることによって設けてなるものである。
【０００７】
第三の発明は、枝木を伐採する際などに着用して利き腕ではない方の手を保護するための保護手袋であって、利き腕ではない方の手に着用する手袋本体１甲部２の外側面２ａまたは内側面２ｂに、衝撃吸収材３を、その上下から上布４と下布５で挟み、当該上布４と下布５をホットメルト６で接着し、さらに、前記下布５を手袋本体１にホットメルト６で接着し、または前記上布４と下布５を手袋本体１に糸７で縫付けることによって設けてなるものである。
【０００８】
第四の発明は、前記第一乃至第三のいずれかの発明において、手袋本体１を、アラミド繊維等の強力繊維をメリヤス手袋状に編んで形成してなるものである。
【０００９】
第五の発明は、前記第一乃至第三のいずれかの発明において、手袋本体１を、アラミド繊維等の強力繊維で織った織布を複数の手型パーツ８に裁断し、当該複数の手型パーツ８を縫い合わせて形成し、かつ、衝撃吸収材３を、手袋本体１の甲部２となる手型パーツ８に、その手型パーツ８を縫い合わせる前に設けてなるものである。
【００１０】
第六の発明は、前記第一乃至第五のいずれかの発明において、衝撃吸収材３は単層若しくはアラミド織布との積層、更には衝撃吸収材の間に鎖とか、鋼線の屈曲を阻害しない網状の金属材を切断防止目的に挟み込んだ構成としたことを特徴とするものである。
【００１１】
【発明の実施の形態】本発明に係る保護手袋の第一実施形態を、図１および図２に示す。この保護手袋は、枝木を伐採する際に着用して利き腕ではない方の手を保護するためのものである。そして、一対の手袋本体１のうち、利き腕ではない方の手に着用する手袋本体１の甲部２の外側面２ａに、衝撃吸収材３を、その上から上布４で覆い、その上布４を手袋本体１にホットメルト６で接着することによって取付けている。こうすることによって、衝撃吸収材３を手袋本体１に安定姿勢で取付けることができる。
【００１２】
なお、衝撃吸収材３は、図３に示すように、手袋本体１の内側面２ｂに設けることもできる。この場合、衝撃吸収材３が外から視覚されないので、外観の見栄えがよい。
【００１３】
衝撃吸収材３は、例えば左手の場合、その甲部２指先の第一、第二、第三関節を覆うべく、図４（ａ）に示すように全体を一体的に連続させた一体型や、図４（ｂ）に示すように分割した分割型とすることができる。なお、分割する場合は、物を握ったときに各部分が連続して密接するように、また、手を開いたときは各部分間に適度な間隙が形成され、物が握り易くなるようにすると良い。
【００１４】
この手袋本体１は、強度および弾性率が高く、耐熱性にも優れるアラミド繊維をメリヤス手袋状に編んで形成したものである。従って、保護効果に優れる。なお、衝撃吸収材３を手袋本体１の外側面２ａに設ける場合、上布４をアラミド繊維の織布で形成すると、保護効果をさらに向上させることができるので好ましい。
【００１５】
本発明に係る保護手袋の第二実施形態を、図５および図６に示す。この保護手袋も、枝木を伐採する際に着用して利き腕ではない方の手を保護するためのものである。そして、利き腕ではない方の手に着用する手袋本体１甲部２の内側面２ｂに、衝撃吸収材３を上布４と下布５の間に挟み、その上布４と下布５をホットメルト６で接着し、さらに、下布５を手袋本体１にホットメルト６で接着したものである。こうすることにより、衝撃吸収材３を、手袋本体１に安定姿勢で取付けることができる。なお、衝撃吸収材３は、図７に示すように、手袋本体１の側面２ａに糸７で取付けることもできる。
【００１６】
この手袋本体１は、アラミド繊維で織った織布を甲部パーツ８ａ、掌パーツ８ｂおよび親指パーツ８ｃ等の複数の手型パーツ８に裁断し、その複数の手型パーツ８を縫い合わせて形成したものである。また、衝撃吸収材３を、甲部パーツ８ａに取付けた後に、当該甲部パーツ８ａを掌パーツ８ｂ等に縫い付けて手袋本体１とするものである。こうすることによって、衝撃部材を容易に取付けることができる。特に、衝撃吸収材３を、手袋本体１の内側面２ｂに縫い付けによって取付ける場合に有効である。なお、この場合、掌パーツ８ｂは、握り易さを考慮して皮革等の滑りにくい材料で形成すると良い。
【００１７】
第一実施形態および第二実施形態における保護手袋を、例えば、利き腕ではない方の左手に着用して伐採作業を行うと、利き腕である右手の手元が狂ってナタが左手の甲に当たった場合でも、その衝撃を衝撃吸収材３が吸収するので左手の甲を切創することがない。また、この保護手袋は、利き腕ではない方の手のみに着用するので、利き腕側の手に着用する手袋本体１には衝撃吸収材３を設ける必要がない。従って、製造コストを約半分に抑えることができる。
【００１８】
本発明に係る保護手袋の第三実施形態を、図８に示す。これは、手袋本体１の甲部２および掌部に、衝撃吸収材３と緩衝しない範囲で滑り止め材９を被覆し、滑り止め効果の向上を図ったものである。この滑り止め材９は、ゴム液を塗布したり、ゴムシートを貼着することによって設けることができる。
【００１９】
なお、本発明に係る保護手袋は、伐採作業時における着用に限らず、利き腕ではない方の手に危険を及ぼしかねない他の作業（大工作業、機械修理作業等）においても有効である。
【００２０】
【発明の効果】請求項１に記載の保護手袋は、利き腕ではない方の手に着用する手袋本体１甲部２の外側面２ａまたは内側面２ｂに衝撃吸収材３を設けたので、枝木の伐採時等において、当該手の甲を効果的に保護することができる。
【００２１】
請求項２に記載の保護手袋は、利き腕でない手の甲を効果的に保護することができると共に、衝撃吸収材３を上布４で覆った状態で取付けるので、当該衝撃吸収材３を手袋本体１に安定姿勢で設けることができる。衝撃吸収材は、袋状の中に移動可能な状態に置かれるので、着用者の手になじむ状態に位置してゆく。
【００２２】
請求項３に記載の保護手袋は、利き腕でない手の甲を効果的に保護することができると共に、衝撃吸収材３を上布４と下布５で挟んだ状態で取付けるので、手袋本体１に安定姿勢で設けることができる。
【００２３】
請求項４に記載の保護手袋は、利き腕でない手の甲を効果的に保護することができると共に、手袋本体１をアラミド繊維等の強力繊維で形成したので、保護効果をさらに高めることができる。
【００２４】
請求項５に記載の保護手袋は、利き腕でない手の甲を効果的に保護することができると共に、手袋本体１を強力繊維製の織布を複数の手型パーツ８に裁断したものを縫合して形成するものとし、かつ、衝撃吸収材３を甲部２となる手型パーツ８（甲部パーツ８ａ）に縫合前に取付けるので、容易に取付けることができる。
【図面の簡単な説明】
【図１】本発明の第一実施形態を示す平面図である。
【図２】図１のＸ−Ｘ線断面図である。
【図３】衝撃吸収材を外側面に取付けた場合を示す断面図である。
【図４】衝撃吸収材の実施形態を示すもので、（ａ）は一体型、（ｂ）は分割型を示す。
【図５】本発明の第二実施形態を示す平面図である。
【図６】図５のＹ−Ｙ線断面図である。
【図７】衝撃吸収材を内側面に取付けた場合を示す断面図である。
【図８】本発明の第三実施形態を示す平面図である。
【符号の説明】
１      手袋本体
２      甲部
２ａ    外側面
２ｂ    内側面
３      衝撃吸収材
４      上布
５      下布
６      ホットメルト
７      糸
８      手型パーツ
８ａ    甲部パーツ
８ｂ    掌パーツ
８ｃ    親指パーツ
９      滑り止め材
【図１】
2004197240.tif 000003
【図２】
2004197240.tif 000004
【図３】
2004197240.tif 000005
【図４】
2004197240.tif 000006
【図５】
2004197240.tif 000007
【図６】
2004197240.tif 000008
【図７】
2004197240.tif 000009
【図８】
2004197240.tif 000010